(57)【特許請求の範囲】
【請求項１】
ケーシング本体と、
前記ケーシング本体の前面に着脱自在に嵌合する蓋体と、
前記ケーシング本体内に前後方向で着脱自在に取り付けられ、液状物を収容した袋体を後壁に孔が開設されたカートン内に内装したカートリッジタンクと、
前記ケーシング本体に取り付けられ、前記カートリッジタンクから液状物を吸い込んで注出する注出手段とを備え、
前記袋体は、少なくとも一部に未延伸ナイロンフィルムとポリオレフィン系フィルムを積層接着してなるラミネートフィルム層を設けたものであり、
前記注出手段は、外方に向けて突出し、先端に突刺部を有する吸込管を備え、この吸込管の先端が前記ケーシング本体の後面側から前面側に向かって前記ケーシング本体における前記カートリッジタンクの取り付けスペース内に突出するように前記ケーシング本体に取り付けられており、
前記カートリッジタンクを前記ケーシング本体の前面側から挿入して取り付けると、前記吸込管の先端が前記孔を介して前記袋体のラミネートフィルム層を突き破って前記袋体内部に突出し、前記注出手段によって前記袋体内部の液状物を注出可能となるようにしたことを特徴とする液状物分配装置。
【請求項２】
前記袋体に、前記ラミネートフィルム層の内側に重なり、前記ラミネートフィルム層に接着されていないポリオレフィン系フィルム層を設けたことを特徴とする請求項１に記載の液状物分配装置。
【発明の詳細な説明】
【０００１】
【発明の属する技術分野】
本発明は、公衆トイレ、食堂、病院等において使用され、液体石鹸や消毒液等の液状物を分配するための液状物分配装置に関するものである。
【０００２】
【従来の技術】
公衆トイレや食堂等において液体石鹸や消毒液等を分配するための液状物分配装置が使用されている。図４は従来の液状物分配装置の一例を示す概略構成図である。この液状物分配装置１０１は、壁面等に取り付けられたケーシング１０２に、液状物を収容した袋体１０４をカートン１０５内に内装したカートリッジタンク１０３が着脱自在に取り付けられ、カートリッジタンク１０３が、袋体１０４に連通し、カートン１０５から外方に向けて突出した可撓性を有する供給管１０６を備えており、ケーシング１０２の下方に設けられた操作ツマミ１０７を指で矢印Ａの方向に押すと、供給管１０６が板状の押圧部材１０８によって矢印Ｂの方向に押圧され、供給管１０６の先端に取り付けられたノズル１０９から液状物が注出されるように構成されている。そして、袋体１０４内の液状物が無くなると、カートリッジタンク１０３がケーシング１０２から取り外され、新しいカートリッジタンク１０３がケーシング１０２に取り付けられる。なお、１１０は、供給管１０６を保持するリング状の保持部材である。
【０００３】
【発明が解決しようとする課題】
上記従来の液状物分配装置１０１では、カートリッジタンク１０３の使用前には供給管１０６がカートン１０５内に収容されており、使用時にカートン１０５を破って供給管１０６を外部に取り出さなければならない。また、カートリッジタンク１０３をケーシング１０２に取り付ける際に、供給管１０６を保持部材１１０に通さなければならず、カートリッジタンク１０３の交換が非常に煩雑であった。
【０００４】
また、この液状物分配装置では、図５に示すように、供給管１０６は袋体１０４に環状の連結部材１１１を介してヒートシールされ、供給管１０６の先端にはノズル１０９が取り付けられている。したがって、カートリッジタンク１０３の組立工数及び部品点数が多く、カートリッジタンク１０３が高価であった。
【０００５】
本発明は、上記のような問題点を解決するためになされたものであって、その目的は、カートリッジタンクの交換が容易であるとともにカートリッジタンクを安価に製造することができる液状物分配装置を提供することにある。
【０００６】
【課題を解決するための手段】
上記目的を達成するために、請求項１に記載の液状物分配装置は、ケーシング本体と、前記ケーシング本体の前面に着脱自在に嵌合する蓋体と、前記ケーシング本体内に前後方向で着脱自在に取り付けられ、液状物を収容した袋体を後壁に孔が開設されたカートン内に内装したカートリッジタンクと、前記ケーシング本体に取り付けられ、前記カートリッジタンクから液状物を吸い込んで注出する注出手段とを備え、前記袋体は、少なくとも一部に未延伸ナイロンフィルムとポリオレフィン系フィルムを積層接着してなるラミネートフィルム層を設けたものであり、前記注出手段は、外方に向けて突出し、先端に突刺部を有する吸込管を備え、この吸込管の先端が前記ケーシング本体の後面側から前面側に向かって前記ケーシング本体における前記カートリッジタンクの取り付けスペース内に突出するように前記ケーシング本体に取り付けられており、前記カートリッジタンクを前記ケーシング本体の前面側から挿入して取り付けると、前記吸込管の先端が前記孔を介して前記袋体のラミネートフィルム層を突き破って前記袋体内部に突出し、前記注出手段によって前記袋体内部の液状物を注出可能となるようにしたことを特徴とするものである。
【０００７】
また、請求項２に記載の液状物分配装置は、請求項１に記載の液状物分配装置において、前記袋体に、前記ラミネートフィルム層の内側に重なり、前記ラミネートフィルム層に接着されていないポリオレフィン系フィルム層を設けたことを特徴とするものである。
【０００８】
【発明の実施の形態】
以下、本発明の具体的な実施形態を図面を参照しながら説明する。図１は本発明の一実施形態である液状物分配装置の正面図であり、図２は図１の側面断面図である。
【０００９】
この液状物分配装置１は、手を洗うための液体石鹸を分配するためのもので、ケーシング２と、このケーシング２内に着脱自在に取り付けられ、液体石鹸Ｓを収容した袋体５を直方体状のカートン６内に内装したカートリッジタンク３と、このカートリッジタンク３から液体石鹸Ｓを吸い込んで注出する注出手段としてのポンプ４とからなっている。
【００１０】
ケーシング２は合成樹脂射出成形品からなり、壁面に取り付けられるケーシング本体７と、このケーシング本体７の前面に着脱自在に嵌合する蓋体８とからなっている。ケーシング本体７の後壁７ａの外面には複数個の両面粘着テープ９が貼着されており、この粘着テープ９によって液状物分配装置１を壁面に固定するようになっている。
【００１１】
ケーシング本体７の内部は水平方向に延びる隔壁１１によって上下の室１２、１３に区分されている。上側の室１２はカートリッジタンク３の取り付けスペースとして使用され、内部にカートリッジタンク３を前後方向に案内するガイド部材（不図示）とストッパ（不図示）とが設けられている。カートリッジタンク３を上側の室１２に前方から挿入すると、カートリッジタンク３が前記ガイド部材によって案内され、所定の位置に達するとカートリッジタンク３が前記ストッパに当接し、カートリッジタンク３が位置決めされるようになっている。また、上側の室１２の後面１２ａには、後述するポンプ４の吸込管２３の直軸部２３ａを垂直に支持する支持部１４、１５と、吸込管２３の先端を後面１２ａから直角に突出するように支持する支持部１６とが設けられている。
【００１２】
下側の室１３には、隔壁１１と下側の室１３の後面１３ａとの間にまたがって、ポンプ４を取り付けるための取付部材１７が固定されている。取付部材１７は、垂直方向に延びる板状の第１の部分１８と、この第１の部分１８の下端から後面１３ａに向かって斜め下方に延びる板状の第２の部分１９とからなっている。第２の部分１９の下面には、この面から垂直に突出した円筒状の取付部２０が設けられており、取付部２０の外周面にはポンプ４の雌ネジ２７ａ（後述）に螺合する雄ネジ２０ａが形成されている。
【００１３】
カートン６はボール紙等の適度の剛性を有する安価なシート部材からなり、その後壁６ａには、カートン６をケーシング２に装着したときにポンプ４の吸込管２３の先端に対向し、該先端を挿入可能な孔２１が開設されている。
【００１４】
袋体５は、図３に示すように、未延伸ナイロンフィルムＮとポリオレフィン系フィルムＰを積層接着してなるラミネートフィルム層Ｌからなっている。なお、袋体５は、吸込管２３の先端が突き刺される部分が図３に示すラミネートフィルム層Ｌで、残りの部分が延伸されたナイロンフィルムとポリオレフィン系フィルムを積層接着したラミネートフィルム層であり、これらのラミネートフィルム層を、ポリオレフィン系フィルムが内側になるように互いに接合してなるものであってもも良い。袋体５の内部には、袋体５がカートン６の内面に密着するように液体石鹸Ｓが満中充填されており、吸込管２３を袋体５に突き刺したときに袋体５がたるまないようになっている。
【００１５】
ポンプ４は、筒状の基部２２と、この基部２２の一端から突出した吸込管２３と、基部２２内に軸方向に摺動自在に収容され、先端が基部２２の他端から突出した摺動部２４と、摺動部２４の先端に設けられた操作部２５と、操作部２５から外方に向けて突出した注出管２６と、基部２２に軸方向に移動しないように回転自在に取り付けられた有底円筒状の固定部２７とを備えている。吸込管２３は先端に斜めにカットされた突刺部２３ｂを有している。固定部２７の内周面には、取付部材１７の取付部２０の雄ネジ２０ａに螺合する雌ネジ２７ａが形成されており、ポンプ４は、固定部２７、取付部２０、ケーシング本体７の支持部１４〜１６を介して、吸込管２３の直軸部２３ａが垂直に延び、吸込管２３の先端がケーシング本体７の上側の室１２の内部に突出するように取り付けられている。
【００１６】
次に、上記のように構成した液状物分配装置１の使用方法を説明する。ケーシング２の裏面の粘着テープ９の剥離シートを剥してケーシング２を壁面に固定し、蓋体８をケーシング本体７から取り外す。カートリッジタンク３をケーシング本体７の前方から上側の室１２に挿入すると、ポンプ４の吸込管２３の先端が孔２１を介してカートン６内に侵入し、突刺部２３ｂが袋体５を突き破って吸込管２３の先端が袋体５内部に突出する。袋体５における吸込管２３の先端が突き刺される部分は未延伸ナイロンフィルムＮとポリオレフィン系フィルムＰを積層接着してなるラミネートフィルム層Ｌによって形成されているため、袋体５は裂けることなく、吸込管２３の突き刺しによって袋体５に生じた孔５ａは吸込管２３の外面に密着する。カートリッジタンク３の取り付けが終了すると蓋体８をケーシング本体７に取り付ける。
【００１７】
ポンプ４の操作部２５を上方に押し上げて下に戻すと袋体５内部の液体石鹸Ｓが吸込管２３によって吸い込まれ、その動作を数回繰り返すと注出管２６から液体石鹸が注出される。なお、液体石鹸Ｓの残量が少なくなると、液面が吸込管２３の先端より下に位置することになるが、上述したように袋体５の孔５ａが吸込管２３に密着しているため、ポンプ４を操作すると袋体５内部が真空状態となり、袋体５が収縮して液体石鹸Ｓは殆ど残らず吸い出される。袋体５内部の液体石鹸Ｓが無くなると、ケーシング２の蓋体８を取り外し、カートリッジタンク３をケーシング本体７から取り出して新しいカートリッジタンク３をケーシング本体７に取り付ける。
【００１８】
なお、袋体５における未延伸ナイロンフィルムＮとポリオレフィン系フィルムＰを積層接着してなるラミネートフィルム層Ｌの内側に、ポリオレフィン系フィルム層をラミネートフィルム層Ｌに接着せずに重ねて設けても良い。このようにすると、吸込管２３の突き刺しによってラミネートフィルム層Ｌに裂け目が生じても、その内側のポリオレフィン系フィルム層における吸込管２３の突き刺しによって生じた孔が吸込管２３の外面に密着するので、袋体５内部に空気が入りにくく、液体石鹸Ｓを殆ど残らず吸い出すことができる。
【００１９】
なお、未延伸ナイロンフィルムＮとポリオレフィン系フィルムＰとの間に、エチレンポリビニルアルコール共重合体や塩化ビニリデン等の樹脂からなるバリヤー層を設けることも可能である。このバリヤー層は未延伸のフィルムを積層接着により設けてもよく、あるいはコーティングにより設けても良い。さらに、未延伸ナイロンフィルムＮの外側に別のフィルムを積層しても良い。
【００２０】
【発明の効果】
以上のように、本発明の液状物分配装置によれば、カートリッジタンクの取り付け、取り外しをワンタッチで行うことができるので、カートリッジタンクの交換が容易である。また、カートリッジタンクの部品点数及び組立工数が少ないため、カートリッジタンクを安価に製造することができる。
【００２１】
請求項２の液状物分配装置によれば、袋体に、未延伸ナイロンフィルムとポリオレフィン系フィルムを積層接着してなるラミネートフィルム層の内側に重なり、このラミネートフィルム層に接着されていないポリオレフィン系フィルム層を設けたことにより、万が一吸込管の突き刺しによってラミネートフィルム層に裂け目が生じても、その内側のポリオレフィン系フィルム層における吸込管の突き刺しによって生じた孔が吸込管の外面に密着し、袋体内部に空気が入りにくいので、袋体内部の液状物が少量になっても液状物を殆ど残らず吸い出すことができる。
【図面の簡単な説明】
【図１】  本発明の一実施形態である液状物分配装置の正面図。
【図２】  図１の側面断面図。
【図３】  袋体の要部断面図。
【図４】  従来の液状物分配装置の概略構成図。
【図５】  図４の要部拡大図。
【符号の説明】
１  液状物分配装置
２  ケーシング
３  カートリッジタンク
４  ポンプ（注出手段）
５  袋体
６  カートン
２３  吸込管
２３ｂ  突刺部
Ｌ  ラミネートフィルム層
Ｎ  未延伸ナイロンフィルム
Ｐ  ポリオレフィン系フィルム
Ｓ  液状物
【図１】
0003826964.tif 000002
【図２】
0003826964.tif 000003
【図３】
0003826964.tif 000004
【図４】
0003826964.tif 000005
【図５】
0003826964.tif 000006